(57)【要約】【課題】所定の規格の多層ディスクにおいて、正確に記録面の層数を検出できるディスク再生装置を提供する。【解決手段】複数の同一規格の記録層を含む光ディスク媒体９０を再生し、光学系１１を含むディスク再生装置において、対物レンズ１１ｈをその可動限界の一方から他方まで移動させるまでの間、液晶シャッタ１１ｇを制御することによって対物レンズ１１ｈの位置に応じて変化する球面収差の影響を減少させながら、ＦＥ信号のＳ字カーブを計数する。計数したＦＥ信号のＳ字カーブの数に従って、光ディスク媒体９０が備える記録面の層数を検出する。【選択図】図２
2008226317.tif 000002
【特許請求の範囲】
【請求項１】
複数の記録面を含む光ディスク媒体を再生するディスク再生装置であって、
レーザ光を照射する照射手段と、
レーザ光を受光し、電気信号に変換する電気信号変換手段と、
対物レンズを含み、前記照射手段が照射したレーザ光を前記対物レンズを介して前記光ディスク媒体に集光させ、前記光ディスク媒体からの反射光を前記対物レンズを介して前記電気信号変換手段に導く光学系と、
前記電気信号変換手段により変換された電気信号をフォーカス誤差信号に変換する誤差信号変換手段と、
前記誤差信号変換手段により変換されたフォーカス誤差信号の信号レベルのＳ字カーブを検出するＳ字カーブ検出手段と、
前記光学系に含まれる対物レンズをフォーカス方向に移動させる対物レンズ移動手段と、
前記対物レンズに入射するレーザ光の光束径を絞ることにより、前記光学系の開口数を変更する開口数変更手段と、
前記開口数変更手段を制御することによりレーザ光の光束径を絞って前記光学系の開口数を制御し、前記対物レンズ移動手段を制御することにより前記対物レンズを所定範囲で移動させ、移動の間に前記Ｓ字カーブ検出手段が検出したＳ字カーブの数を計数することにより、装着されている光ディスク媒体の記録面の層数を求める計数制御手段と、
を備える、ことを特徴とするディスク再生装置。
【請求項２】
前記計数制御手段は、前記照射手段と前記対物レンズ移動手段と前記開口数変更手段とを制御することにより、前記照射手段にレーザ光を照射させた状態で、前記対物レンズを所定範囲で移動させると共に前記対物レンズの位置に応じて前記レーザ光の光束径を絞って前記光学系の開口数を変更し、前記Ｓ字カーブ検出手段が検出したＳ字カーブの数を計数することにより、装着されている光ディスク媒体の記録面の層数を求める、
ことを特徴とする請求項１に記載のディスク再生装置。
【請求項３】
前記計数制御手段は、前記開口数変更手段を制御して前記レーザ光の光束径を絞ることにより、検出対象の光ディスク媒体の全ての記録面が検出可能な開口数に光束径を変更し、前記対物レンズ移動手段を制御することにより前記対物レンズを所定範囲で移動させ、その間に前記Ｓ字カーブ検出手段が検出したＳ字カーブの数を計数することにより装着されている光ディスク媒体の記録面の層数を求める、
ことを特徴とする請求項１に記載のディスク再生装置。
【請求項４】
前記開口数変更手段は、液晶シャッタと前記計数制御手段の制御に従って該液晶シャッタを駆動することにより、前記対物レンズに入射するレーザ光の光束径を変化させるシャッタ駆動手段を備える、
ことを特徴とする請求項１乃至３の何れか１項に記載のディスク再生装置。
【請求項５】
前記開口数変更手段は、開閉シャッタを制御し、前記対物レンズに入射するレーザ光の光束径を変化させることにより、前記光学系の開口数を変更する、
ことを特徴とする請求項１乃至４の何れか１項に記載のディスク再生装置。
【請求項６】
対物レンズを含む光学系を備え、当該光学系によって、レーザ光を照射し、当該対物レンズを介して、複数の記録面を含む光ディスク媒体に集光させ、当該対物レンズを介して、当該光ディスク媒体からの反射光を集光し、当該光ディスク媒体を再生するディスク再生装置のディスク判別方法であって、
前記反射光を受光し、電気信号に変換する電気信号変換ステップと、
前記電気信号変換ステップで変換された電気信号をフォーカス誤差信号に変換する誤差信号変換ステップと、
前記誤差信号変換ステップで変換されたフォーカス誤差信号の信号レベルのＳ字カーブを検出するＳ字カーブ検出ステップと、
前記光学系に含まれる対物レンズをフォーカス方向に移動させる対物レンズ移動ステップと、
前記対物レンズに入射するレーザ光の光束径を絞りにより絞ることにより、前記光学系の開口数を制御する開口数制御ステップと、
前記照射ステップでレーザ光を照射させた状態で、前記開口数制御ステップにより前記絞りによりレーザ光の光束径を絞って開口数を制御し、前記対ブルレンズ移動ステップにより前記対物レンズを所定範囲で移動させ、移動の間に前記Ｓ字カーブ検出ステップで検出したＳ字カーブの数を計数することにより、装着されている光ディスクの記録面の総数を求める計数制御ステップと、
を備える、
ことを特徴とするディスク判別方法。
【発明の詳細な説明】
【技術分野】
【０００１】
本発明は、ディスク再生装置及びディスク判別方法に関する。
【背景技術】
【０００２】
現在、ディスク媒体の容量を増大するために、記録層の多層化や、記録密度の向上に伴うレーザの短波長化が進められている。そのような状況下で、次世代光ディスクの規格として、ＢＤ（Blue-ray Disc）規格があり、ＢＤ規格のディスク再生装置や光ディスク媒体の商品化が進められている。
【０００３】
ディスク再生装置は、光ディスク媒体の再生を行うときに、その種別を判別する必要がある。この判別方法の一例として、レーザ照射状態で対物レンズをアップダウンさせ、光ディスク媒体からの戻り光より得られるフォーカス誤差信号（以下、ＦＥ信号）を検出し、レーザ焦点が光ディスク媒体の記録面を通過することで、ＦＥ信号に現れるＳ字カーブを検出する方法がある。（例えば、特許文献１参照）
【特許文献１】特開２００４−１４６０１６号公報
【発明の開示】
【発明が解決しようとする課題】
【０００４】
ＢＤ規格のディスク再生装置の対物レンズはＮＡ（Numerical Aperture；開口数）が大きく、球面収差が発生し易い。そのため、特許文献１の技術では、ＦＥ信号に現れるＳ字カーブの振幅が小さくなる層も存在し、正確に記録面の層数を検出できなかった。
【０００５】
本発明は、上記問題点に鑑みてなされたもので、所定の規格の多層ディスクにおいて、正確に記録面の層数を検出可能なディスク再生装置及びディスク判別方法を提供することを目的とする。
【課題を解決するための手段】
【０００６】
上記目的を達成するために、本発明の第１の観点に係るディスク再生装置は、
複数の記録面を含む光ディスク媒体を再生するディスク再生装置であって、
レーザ光を照射する照射手段と、
レーザ光を受光し、電気信号に変換する電気信号変換手段と、
対物レンズを含み、前記照射手段が照射したレーザ光を前記対物レンズを介して前記光ディスク媒体に集光させ、前記光ディスク媒体からの反射光を前記対物レンズを介して前記電気信号変換手段に導く光学系と、
前記電気信号変換手段により変換された電気信号をフォーカス誤差信号に変換する誤差信号変換手段と、
前記誤差信号変換手段により変換されたフォーカス誤差信号の信号レベルのＳ字カーブを検出するＳ字カーブ検出手段と、
前記光学系に含まれる対物レンズをフォーカス方向に移動させる対物レンズ移動手段と、
前記対物レンズに入射するレーザ光の光束径を絞ることにより、前記光学系の開口数を変更する開口数変更手段と、
前記開口数変更手段を制御することによりレーザ光の光束径を絞って前記光学系の開口数を制御し、前記対物レンズ移動手段を制御することにより前記対物レンズを所定範囲で移動させ、移動の間に前記Ｓ字カーブ検出手段が検出したＳ字カーブの数を計数することにより、装着されている光ディスク媒体の記録面の層数を求める計数制御手段と、
を備える、ことを特徴とする。
【０００７】
例えば、前記計数制御手段は、前記照射手段と前記対物レンズ移動手段と前記開口数変更手段とを制御することにより、前記照射手段にレーザ光を照射させた状態で、前記対物レンズを所定範囲で移動させると共に前記対物レンズの位置に応じて前記レーザ光の光束径を絞って前記光学系の開口数を変更し、前記Ｓ字カーブ検出手段が検出したＳ字カーブの数を計数することにより、装着されている光ディスク媒体の記録面の層数を求める。
【０００８】
例えば、前記計数制御手段は、前記開口数変更手段を制御して前記レーザ光の光束径を絞ることにより、検出対象の光ディスク媒体の全ての記録面が検出可能な開口数に光束径を変更し、前記対物レンズ移動手段を制御することにより前記対物レンズを所定範囲で移動させ、その間に前記Ｓ字カーブ検出手段が検出したＳ字カーブの数を計数することにより装着されている光ディスク媒体の記録面の層数を求める。
【０００９】
例えば、前記開口数変更手段は、液晶シャッタと前記計数制御手段の制御に従って該液晶シャッタを駆動することにより、前記対物レンズに入射するレーザ光の光束径を変化させるシャッタ駆動手段を備える。
【００１０】
例えば、前記開口数変更手段は、開閉シャッタを制御し、前記対物レンズに入射するレーザ光の光束径を変化させることにより、前記光学系の開口数を変更する。
【００１１】
上記目的を達成するために、本発明の第２の観点に係るディスク判別方法は、
対物レンズを含む光学系を備え、当該光学系によって、レーザ光を照射し、当該対物レンズを介して、複数の記録面を含む光ディスク媒体に集光させ、当該対物レンズを介して、当該光ディスク媒体からの反射光を集光し、当該光ディスク媒体を再生するディスク再生装置のディスク判別方法であって、
前記反射光を受光し、電気信号に変換する電気信号変換ステップと、
前記電気信号変換ステップで変換された電気信号をフォーカス誤差信号に変換する誤差信号変換ステップと、
前記誤差信号変換ステップで変換されたフォーカス誤差信号の信号レベルのＳ字カーブを検出するＳ字カーブ検出ステップと、
前記光学系に含まれる対物レンズをフォーカス方向に移動させる対物レンズ移動ステップと、
前記対物レンズに入射するレーザ光の光束径を絞りにより絞ることにより、前記光学系の開口数を制御する開口数制御ステップと、
前記照射ステップでレーザ光を照射させた状態で、前記開口数制御ステップにより前記絞りによりレーザ光の光束径を絞って開口数を制御し、前記対ブルレンズ移動ステップにより前記対物レンズを所定範囲で移動させ、移動の間に前記Ｓ字カーブ検出ステップで検出したＳ字カーブの数を計数することにより、装着されている光ディスクの記録面の総数を求める計数制御ステップと、
を備える、
ことを特徴とする。
【発明の効果】
【００１２】
本発明によれば、所定の規格の多層ディスクにおいて、正確に記録面の層数を検出できる。
【発明を実施するための最良の形態】
【００１３】
（第１の実施形態）
以下、本発明の実施形態に係るディスク再生装置１００について説明する。このディスク再生装置１００は、図１に示すように、光ピックアップ１０と信号生成回路２０と信号処理回路３０と制御部４０とフォーカス・トラッキングドライバ回路５０とスピンドルモータドライバ回路６０と液晶シャッタドライバ回路７０とスピンドルモータ８０とから構成される。ただし、レーザ光を制御するためのＡＰＣ（Automatic Power Control）回路は、簡略化のため省略されている。また、ディスク再生装置１００は、光ディスク媒体９０を装填し、記録されている情報を読み出す。
【００１４】
光ピックアップ１０は、レーザ光を光ディスク媒体９０に照射して、その反射信号を電気信号に変換し、信号生成回路２０に供給する。光ピックアップ１０は、図１に示すように、光学系１１とフォーカス・トラッキングアクチュエータ１２とから構成される。
【００１５】
光学系１１は、図２に示すように、その光軸上に配置されたＬＤ（Laser Diode）１１ａとコリメータレンズ１１ｂとビーム成形プリズム１１ｃと偏光ビームスプリッタ１１ｄとＡＰＣ（Automatic Power Control）用受光素子１１ｅと１／４波長板１１ｆと液晶シャッタ１１ｇと対物レンズ１１ｈと偏光ビームスプリッタ１１ｉと受光素子１１ｊと受光素子１１ｋとを備える。
【００１６】
ＬＤ（Laser Diode）１１ａは、波長が４０５ｎｍのＢＤ用の青紫色半導体レーザを照射する光源である。
【００１７】
コリメータレンズ１１ｂは、ＬＤ１１ａにより照射されたレーザ光を平行にする。
【００１８】
ビーム成形プリズム１１ｃは、コリメータレンズ１１ｂにより平行にされたレーザ光を楕円ビームから円形ビームに成形する。
【００１９】
偏光ビームスプリッタ１１ｄは、ＬＤ１１ａより照射されたレーザ光の一部を透過させ、１／４波長板１１ｆに供給し、一部を反射させ、ＡＰＣ用受光素子１１ｅに供給する。また、偏光ビームスプリッタ１１ｄは、光ディスク媒体９０が反射したレーザ光の一部を反射し、偏光ビームスプリッタ１１ｋに供給する。
【００２０】
ＡＰＣ用受光素子１１ｅは、偏光ビームスプリッタ１１ｄが反射したレーザ光を集光し、電気信号に変換する。変換された電気信号は、ＬＤ１１ａのレーザ出力を調整するために使用される。ここでは、レーザ出力を調整する機構は省略する。
【００２１】
１／４波長板１１ｆは、偏光ビームスプリッタ１１ｄを透過したレーザ光を直線偏光から円偏光に変換する。
【００２２】
液晶シャッタ１１ｇは、図３（ｅ）に示すように、外径がｄ１〜ｄ４の同心円状に形成された４つのシャッタ１１１ａ〜１１１ｄを備える。４つのシャッタ１１１ａ〜１１１ｄは、それぞれノーマリーオフ（電圧無印加時に光遮断）の構成を有し、液晶層を挟んで対向する透明電極間（液晶層）が所定の電圧が印加されると、光透過状態に変化する。液晶層を挟んで対向する一方の電極には、図３（ａ）〜（ｄ）に示すように基準（共通）電圧Ｖｒが印加され、他方の電極には、シャッタのオン・オフに応じた電圧が印加される。
【００２３】
より具体的に説明すると、図３（ａ）に示すように、液晶シャッタドライバ回路７０が、シャッタ１１１ａを構成する電極に電圧ＶｒとＶ１＋Ｖｒを印加して、液晶に電圧Ｖ１を印加し、シャッタ１１１ｂ〜１１１ｄを構成する電極に電圧ＶｒとＶｒを印加して、液晶層に電圧“０”を印加すると、シャッタ１１１ａが開いて、シャッタ１１１ｂ〜１１１ｄが閉じる。このため、液晶シャッタ１１ｇは、入射するレーザ光を光束径ｄ１に絞る。光束径ｄ１に絞られたレーザ光は、対物レンズ１１ｈによって集光され、焦点を結ぶ。このとき、開口数ＮＡが、ＣＤ規格の開口数と同値０．４５となるように、光束径ｄ１を選択・設計する。
即ち、ＮＡ=ｎ×ｓｉｎθ1=0.45  が成立するように、光束径ｄ１を選択・設計する。
なお、ｎは空気の屈折率である１、θ1は、入射する光線の光軸に対する最大角度である。
【００２４】
次に、図３（ｂ）に示すように、液晶シャッタドライバ回路７０が、シャッタ１１１ａを構成する液晶に電圧Ｖ１を印加し、シャッタ１１１ｂを構成する液晶に電圧Ｖ２を印加し、シャッタ１１１ｃ、１１１ｄを構成する液晶に電圧“０”を印加すると、シャッタ１１１ａと１１１ｂが開いて、シャッタ１１１ｃ、１１１ｄが閉じる。このため、液晶シャッタ１１ｇは、入射するレーザ光を光束径ｄ２に絞る。光束径ｄ２に絞られたレーザ光は、対物レンズ１１ｈによって集光され、焦点を結ぶ。このとき、開口数ＮＡが、ＤＶＤ規格の開口数と同値０．６となるように、光束径ｄ１を選択・設計する。
即ち、ＮＡ=ｎ×ｓｉｎθ２=０．６  が成立するように、光束径ｄ２を設計する。なお、上述のように、ｎは空気の屈折率である１、θ２は、入射する光線の光軸に対する最大角度である。
【００２５】
次に、図３（ｃ）に示すように、液晶シャッタドライバ回路７０が、シャッタ１１１ａを構成する液晶に電圧Ｖ１を印加し、シャッタ１１１ｂを構成する液晶に電圧Ｖ２を印加し、シャッタ１１１ｃを構成する液晶に電圧Ｖ３を印加し、シャッタ１１１ｄを構成する液晶に電圧“０”を印加すると、シャッタ１１１ａ〜１１１ｃが開いて、シャッタ１１１ｄが閉じる。このため、液晶シャッタ１１ｇは、入射するレーザ光を光束径ｄ３に絞る。光束径ｄ３に絞られたレーザ光は、対物レンズ１１ｈによって集光され、焦点を結ぶ。このとき、開口数ＮＡが、ＤＶＤ規格の開口数と同値０．７となるように、光束径ｄ３を選択・設計する。
即ち、ＮＡ=ｎ×ｓｉｎθ３=０．７が成立するように、光束径ｄ３を設計する。なお、上述のように、ｎは空気の屈折率である１、θ３は、入射する光線の光軸に対する最大角度である。
【００２６】
さらに、図３（ｄ）に示すように、液晶シャッタドライバ回路７０が、シャッタ１１１ａ〜１１１ｄを構成する液晶に電圧Ｖ１〜Ｖ４をそれぞれ印加すると、シャッタ１１１ａ〜１１１ｄが開く。このため、液晶シャッタ１１ｇは、入射するレーザ光を全て透過させる。このときの光束径は、光束径ｄ４である。レーザ光は、対物レンズ１１ｈによって集光され、焦点を結ぶ。このとき、開口数ＮＡが、ＢＤ規格の開口数と同値の０．８５となるように、光束径ｄ４を選択・設計する。
即ち、ＮＡ=ｎ×ｓｉｎθ４=０．８５が成立するように、光束径ｄ４を設計する。なお、上述のように、ｎは空気の屈折率である１、θ４は、入射する光線の光軸に対する最大角度である。
【００２７】
対物レンズ１１ｈは、ＬＤ１１ａから照射されたレーザ光を光ディスク媒体９０の記録面上に集光する。また、対物レンズ１１ｈは、フォーカス・トラッキングアクチュエータ１２によってフォーカス方向とトラッキング方向とに可動し、レーザ光の焦点位置を調整する。
【００２８】
偏光ビームスプリッタ１１ｉは、偏光ビームスプリッタ１１ｄから供給されたレーザ光の一部を透過し、受光素子１１ｋに供給し、一部を反射し、受光素子１１ｊに供給する。
【００２９】
受光素子１１ｊは、偏光ビームスプリッタ１１ｉで反射したレーザ光を集光し、電気信号に変換する。受光素子１１ｊが変換した電気信号は、ナイフエッジ法によるＦＥ（Focus Error）信号の検出に用いられる。
【００３０】
受光素子１１ｋは、偏光ビームスプリッタ１１ｋを透過したレーザ光を集光し、電気信号に変換する。受光素子１１ｍが変換した電気信号は、ＲＦ（Radio Frequency）信号およびプッシュプル方式のＴＥ（Tracking Error）信号の検出に用いられる。
【００３１】
上記のＡＰＣ用受光素子１１ｅや受光素子１１ｊ、１１ｋには、波長４０５ｎｍの光を受光し、電気信号に変換するのに最適化されたシリコンＰＩＮフォトダイオードが用いられる。
【００３２】
フォーカス・トラッキングアクチュエータ１２は、フォーカス・トラッキングドライバ回路５０より供給された電圧により対物レンズ１１ｊをフォーカス方向とトラッキング方向とに駆動させることによって、レーザ光の焦点位置を移動させる。
【００３３】
信号生成回路２０は、光ピックアップ１０から供給された電気信号をデコードし、ＲＦ信号とＦＥ信号とＴＥ信号とを生成する。それから、ＲＦ信号を信号処理回路３０の復調回路３２に供給し、ＦＥ信号とＴＥ信号とを信号処理回路３０の位相補償回路３１に供給する。
【００３４】
信号処理回路３０は、制御部４０の制御にもとづいてＲＦ信号やＦＥ信号やＴＥ信号に処理を施す。信号処理回路３０は、位相補償回路３１と復調回路３２とＰＬＬ（Phase Locked Loop）回路３３とから構成される。
【００３５】
位相補償回路３１は、信号生成回路２０から供給されたＦＥ信号とＴＥ信号とに位相補償を施し、光ピックアップ１０から照射されるレーザ光の焦点位置を制御するアクチュエータ制御信号を生成する。
【００３６】
復調回路３２は、信号生成回路２０より供給されたＲＦ信号をデコードし、光ディスク媒体９０に記録されているデジタル信号を制御部４０に供給する。また、復調回路３２は、ＲＦ信号に含まれる同期信号を抽出し、ＰＬＬ回路３３に供給する。
【００３７】
ＰＬＬ回路３３は、復調回路３２より供給された同期信号と制御部４０により定められた基準信号との位相差に応じたスピンドルモータ制御信号を生成する。
【００３８】
制御部４０は、ＣＰＵ（Central Processing Unit）やＲＯＭ（Read Only Memory）やＲＡＭ（Random Access Memory）等から構成され、ディスク再生装置１００全体を制御する。例えば、制御部４０は、レーザ光の光束径を制御することにより光学系の開口数を制御するために、液晶シャッタドライバ回路７０に絞り制御信号を供給し、液晶シャッタ１１ｇの開度を制御する。また、制御部４０は、ステッピングモータ制御信号を生成し、ステッピングモータドライバ回路６０に供給する。
【００３９】
フォーカス・トラッキングドライバ回路５０は、光ピックアップ１０の対物レンズ１１ｊを駆動させるフォーカス・トラッキングアクチュエータ１２を動作させるために、位相補償回路３１より供給されたアクチュエータ制御信号に応じた電圧をフォーカス・トラッキングアクチュエータ１２に供給する。
【００４０】
スピンドルモータドライバ回路６０は、スピンドルモータ８０を駆動させるために、ＰＬＬ回路３３より供給されたスピンドルモータ制御信号に応じた電圧をスピンドルモータ８０に供給する。
【００４１】
液晶シャッタドライバ回路７０は、液晶シャッタ１１ｇを制御するために、制御部４０より供給された液晶シャッタ制御信号に応じた電圧を液晶シャッタ１１ｇに供給する。
【００４２】
スピンドルモータ８０は、スピンドルモータドライバ回路７０より供給された電圧により駆動し、光ディスク媒体９０を回転駆動させる。
【００４３】
光ディスク媒体９０は、ＢＤ規格のディスク又はＤＶＤ規格のディスク又はＣＤ規格のディスク又はそれらのハイブリッドディスクである。また、ＢＤ規格とＤＶＤ規格の記録面については一層ではなく、多層であってもよい。
【００４４】
例えば、図４（ａ）に示す一層構成のＢＤ規格の光ディスク媒体９０（１）においては、ディスク表面９２（１）からＢＤ記録面９１（１）までの距離は、０．１ｍｍであり、ディスク自体の厚さは１．２ｍｍである。図４（ｂ）に示す八層構成のＢＤ規格の光ディスク媒体９０（２）は、ディスク表面９２（２）から７５μｍ〜１００μｍの領域９１（２）に八層のＢＤ記録面Ｌ０〜Ｌ７を備える。また、他のディスクと同様に、ディスクの厚さは１．２ｍｍである。
【００４５】
例えば、図５（ａ）は、ＣＤ（Compact Disc）規格のディスクの模式図である。ＣＤディスクにおいては、ディスク表面９２（３）から記録面９１（３）までの距離は、１．２ｍｍであり、ディスク自体の厚さは同じく１．２ｍｍである。図５（ｂ）は、ＤＶＤ（Digital Versatile Disc）規格のディスクの模式図である。ＤＶＤディスクにおいては、ディスク表面９２（４）から記録面９１（４）までの距離は、０．６ｍｍであり、ディスク自体の厚さは１．２ｍｍである。図５（ｃ）は、ＢＤ層とＤＶＤ層とＣＤ層とを備えたハイブリッドディスクの模式図である。このハイブリッドディスクにおいては、ディスク表面９２（５）からＢＤ層の記録面９１（５ａ）までの距離は、０．１ｍｍであり、表面９２（５）からＤＶＤ層の記録面９１（５ｂ）までの距離は、０．６ｍｍであり、表面９２（５）からＣＤ層の記録面９１（５ｃ）までの距離は、１．２ｍｍであり、ディスク自体の厚さは１．２ｍｍである。また、このハイブリッドディスクのＢＤ層とＤＶＤ層は複数層であってもよい。
【００４６】
次に、図６を参照して、第１の実施形態に係るディスク再生装置１００が光ディスク媒体９０の記録面の層数を検出するための仕組みの概要を説明する。
【００４７】
ディスク再生装置１００は、対物レンズ１１ｈを駆動下限から駆動上限まで移動させる間に、光ディスク媒体９０にレーザ光を照射し、その反射光からＦＥ信号を生成し、ＦＥ信号からＳ字カーブを検出する。この動作をアップサーチと呼ぶことにする。（反対に、対物レンズ１１ｈを駆動上限から駆動下限まで移動させる間に、Ｓ字カーブを検出する動作をダウンサーチと呼ぶことにする。）
【００４８】
ディスク再生装置１００は、一定の速度で対物レンズ１１ｈを移動させ、アップサーチを行い、アップサーチに伴って変化する球面収差の影響を抑えるために最適な液晶シャッタ１１ｇの制御を行う。具体的に述べると、ディスク再生装置１００は、アップサーチを開始してから時間（時刻）ｔ１は液晶シャッタ１１ｇを制御して開口数を０．７０とし、時間ｔ２から時間ｔ２までの間は液晶シャッタ１１ｇを制御して開口数を０．６０とし、時間ｔ２からアップサーチが終了する時間である時間ｔ３までの間は液晶シャッタ１１ｇを制御して開口数を０．４５とする。これによって、ディスク再生装置１００は、アップサーチに伴って変化する球面収差の影響を低減しながら、ＦＥ信号のＳ字カーブを検出でき、そのため、正確に記録面の層数を計数できる。
なお、時間ｔ１，ｔ２，ｔ３は、検出対象の複数種類（規格）の光ディスク媒体９０に関し、いずれの記録面をも適切に検出できるように、アップサーチの開始位置と対物レンズの移動速度等に基づいて、実験などに基づいて予め求められる値である。
【００４９】
ここで、本発明の第１の実施形態に係るディスク再生装置１００が行うディスク層計数処理について図７に示すフローチャートを参照して詳細に説明する。
【００５０】
先ず、光ディスク媒体９０がディスク再生装置１００に装填されると、制御部４０は、スピンドルモータドライバ回路６０を制御して、光ディスク媒体９０を所定の回転速度で回転開始させる（ステップＳ１０１）。
【００５１】
制御部４０は、フォーカス・トラッキングドライバ回路５０を制御して対物レンズ１１ｈのダウンスイープを開始する（ステップＳ１０２）。
【００５２】
制御部４０は、対物レンズ１１ｈが駆動下限に達したか否かを判別する（ステップＳ１０３）。
【００５３】
対物レンズ１１ｈが駆動下限に達していないと判別すると（ステップＳ１０３；ＮＯ）、ダウンスイープを続け、ステップＳ１０３に戻る。
【００５４】
対物レンズ１１ｈが駆動下限に達したと判別すると（ステップＳ１０３；ＹＥＳ）、制御部４０は、対物レンズ１１ｈのダウンスイープを停止する（ステップＳ１０４）。
【００５５】
制御部４０は、ＬＤ１１ａに青紫レーザ光を照射させる（ステップＳ１０５）。
【００５６】
制御部４０は、液晶シャッタドライバ回路７０を制御して開口数を「０．７０」にし（ステップＳ１０６）、光ディスク媒体９０の記録面の層数を特定するために、カウンタｎに「０」を代入する（ステップＳ１０７）。
【００５７】
制御部４０は、フォーカス・トラッキングドライバ回路５０を制御して一定の速度で対物レンズ１１ｈのアップスイープを開始する（ステップＳ１０８）。
【００５８】
制御部４０は、アップスイープを開始してから時間ｔ１が経過したか否かを判別する（ステップＳ１０９）。
【００５９】
ステップＳ１０９において、アップスイープを開始してから時間ｔ１が経過していないと判別すると（ステップＳ１０９；ＮＯ）、制御部４０は、ＦＥ信号において新たにＳ字カーブが検出されたか否かを判別する（ステップＳ１１１）。
【００６０】
ステップＳ１１１において、Ｓ字カーブが検出されたと判別すると（ステップＳ１１１；ＹＥＳ）、制御部４０は、カウンタｎに「１」を加算し（ステップＳ１１２）、処理をステップＳ１０９に戻す。
【００６１】
ステップＳ１１１において、Ｓ字カーブが検出されていないと判別すると（ステップＳ１１１；ＮＯ）、処理をステップＳ１０９に戻す。
【００６２】
ステップＳ１０９において、アップスイープを開始してから時間ｔ１が経過したと判別すると（ステップＳ１０９；ＹＥＳ）、制御部４０は、液晶シャッタドライバ回路７０を制御して開口数を「０．６０」にする（ステップＳ１１０）。
【００６３】
制御部４０は、アップスイープを開始してから時間ｔ２が経過したか否かを判別する（ステップＳ１１３）。
【００６４】
ステップＳ１１３において、アップスイープを開始してから時間ｔ２が経過していないと判別すると（ステップＳ１１３；ＮＯ）、ＦＥ信号において新たにＳ字カーブが検出されたか否かを判別する（ステップＳ１１５）。
【００６５】
ステップＳ１１５において、Ｓ字カーブが検出されたと判別すると（ステップＳ１１５；ＹＥＳ）、制御部４０は、カウンタｎに「１」を加算し（ステップＳ１１６）、処理をステップＳ１１３に戻す。
【００６６】
ステップＳ１１５において、Ｓ字カーブが検出されていないと判別すると（ステップＳ１１１；ＮＯ）、処理をステップＳ１１３に戻す。
【００６７】
ステップＳ１１３において、アップスイープを開始してから時間ｔ２が経過したと判別すると（ステップＳ１１３；ＹＥＳ）、制御部４０は、液晶シャッタドライバ回路７０を制御して開口数を「０．４５」にする（ステップＳ１１４）。
【００６８】
制御部４０は、ＦＥ信号において新たにＳ字カーブが検出されたか否かを判別する（ステップＳ１１７）。
【００６９】
ステップＳ１１７において、Ｓ字カーブが検出されていないと判別すると（ステップＳ１１７；ＮＯ）、制御部４０は、対物レンズ１１ｈが駆動上限に達したか否かを判別する（ステップＳ１２１）。
【００７０】
ステップＳ１２１において、対物レンズ１１ｈが駆動上限に達したと判別すると（ステップＳ１２１；ＹＥＳ）、ディスク層計数処理を終了する。
【００７１】
ステップＳ１２１において、対物レンズ１１ｈが駆動上限に達していないと判別すると（ステップＳ１２１；ＮＯ）、処理をステップＳ１１７に戻す。
【００７２】
ステップＳ１１７において、Ｓ字カーブが検出されたと判別すると（ステップＳ１１７；ＹＥＳ）、カウンタｎに「１」を加算する（ステップＳ１１８）。
【００７３】
制御部４０は、ＦＥ信号において新たにＳ字カーブが検出されたか否かを判別する（ステップＳ１１９）。
【００７４】
ステップＳ１１９において、Ｓ字カーブが検出されたと判別すると（ステップＳ１１９；ＹＥＳ）、処理をステップＳ１１８に戻す。
【００７５】
ステップＳ１１９において、Ｓ字カーブが検出されていないと判別すると（ステップＳ１１９；ＮＯ）、制御部４０は、対物レンズ１１ｈが駆動上限に達したか否かを判別する（ステップＳ１２０）。
【００７６】
ステップＳ１２０において、対物レンズ１１ｈが駆動上限に達していないと判別すると（ステップＳ１２０；ＮＯ）、処理をステップＳ１１９に戻す。
【００７７】
ステップＳ１２０において、対物レンズ１１ｈが駆動上限に達していると判別すると（ステップＳ１２０；ＹＥＳ）、ディスク層計数処理を終了する。
【００７８】
第１の実施形態のディスク層計数処理によれば、ディスク再生装置１００は、レーザ光の焦点の位置に応じて開口数を段階的に変更することによって、球面収差を補償し、確実にＦＥ信号においてＳ字カーブを検出し、光ディスク媒体９０の記録面の層数を正確に数えることができる。
【００７９】
なお、開口数を段階的に変化させるだけでなく、連続的に変化させるようにしてもよい。たとえば、液晶シャッタとしてドットマトリクスタイプの液晶パネルを使用し、光学系の光軸の位置を中心とする透明な円（レーザ光が透過できる領域）を表示させ、この円の半径をアップサーチの信号に伴って徐々に（連続的に）小さくするように表示制御してもよい。
【００８０】
（第２の実施形態）
第１の実施形態では、ディスク再生装置１００は、アップサーチを行う際に対物レンズ１１ｈの位置に応じて開口数を段階的に変更したが、アップサーチを行う際に全ての規格の記録面によるＦＥ信号のＳ字カーブを検出できるような０．８５以下の所定の開口数に変更し、対物レンズ１１ｈの位置に係わらずその開口数を維持してもよい。なお、第２の実施形態の構成は、第１の実施形態の構成と同様である。
【００８１】
次に、本発明の第２の実施形態に係るディスク再生装置１００が行うディスク層計数処理について図８に示すフローチャートを参照して説明する。
【００８２】
先ず、光ディスク媒体９０がディスク再生装置１００に装填されると、制御部４０は、スピンドルモータドライバ回路６０を制御して、光ディスク媒体９０を所定の回転速度で回転開始させる（ステップＳ２０１）。
【００８３】
制御部４０は、フォーカス・トラッキングドライバ回路５０を制御して対物レンズ１１ｈのダウンスイープを開始する（ステップＳ２０２）。
【００８４】
制御部４０は、対物レンズ１１ｈが駆動下限に達したか否かを判別する（ステップＳ２０３）。
【００８５】
対物レンズ１１ｈが駆動下限に達していないと判別すると（ステップＳ２０３；ＮＯ）、ダウンスイープを続け、ステップＳ２０３に戻る。
【００８６】
対物レンズ１１ｈが駆動下限に達したと判別すると（ステップＳ２０３；ＹＥＳ）、制御部４０は、対物レンズ１１ｈのダウンスイープを停止する（ステップＳ２０４）。
【００８７】
制御部４０は、ＬＤ１１ａに青紫レーザ光を照射させる（ステップＳ２０５）。
【００８８】
制御部４０は、液晶シャッタドライバ回路７０を制御して開口数を「０．６０」にする（ステップＳ２０６）。
【００８９】
制御部４０は、光ディスク媒体９０の記録面の層数を特定するために、カウンタｎに「０」を代入する（ステップＳ２０７）。
【００９０】
制御部４０は、フォーカス・トラッキングドライバ回路５０を制御して一定の速度で対物レンズ１１ｈのアップスイープを開始する（ステップＳ２０８）。
【００９１】
制御部４０は、ＦＥ信号においてＳ字カーブが検出されたか否かを判別する（ステップＳ２０９）。
【００９２】
ステップＳ２０９において、Ｓ字カーブが検出されていないと判別すると（ステップＳ２０９；ＮＯ）、制御部４０は、対物レンズ１１ｈが駆動上限に達したか否かを判別する（ステップＳ２１３）。
【００９３】
ステップＳ２１３において、対物レンズ１１ｈが駆動上限に達したと判別すると（ステップＳ２１３；ＹＥＳ）、ディスク層計数処理を終了する。
【００９４】
ステップＳ２１３において、対物レンズ１１ｈが駆動上限に達していないと判別すると（ステップＳ２１３；ＮＯ）、処理をステップＳ２０９に戻す。
【００９５】
ステップＳ２０９において、Ｓ字カーブが検出されたと判別すると（ステップＳ２０９；ＹＥＳ）、制御部４０は、カウンタｎに「１」を加算する（ステップＳ２１０）。
【００９６】
制御部４０は、ＦＥ信号においてＳ字カーブが検出されたか否かを判別する（ステップＳ２１１）。
【００９７】
ステップＳ２１１において、Ｓ字カーブが検出されたと判別すると（ステップＳ２１１；ＹＥＳ）、処理をステップＳ２１０に戻す。
【００９８】
ステップＳ２１１において、Ｓ字カーブが検出されていないと判別すると（ステップＳ２１１；ＮＯ）、制御部４０は、対物レンズ１１ｈが駆動上限に達したか否かを判別する（ステップＳ２１２）。
【００９９】
ステップＳ２１２において、対物レンズ１１ｈが駆動上限に達していないと判別すると（ステップＳ２１２；ＮＯ）、処理をステップＳ２１１に戻す。
【０１００】
ステップＳ２１２において、対物レンズ１１ｈが駆動上限に達したと判別すると（ステップＳ２１２；ＹＥＳ）、ディスク層計数処理を終了する。
【０１０１】
第２の実施形態のディスク層計数処理によれば、ディスク再生装置１００は、アップサーチを行う際に全ての規格の記録面によるＳ字カーブを検出できる開口数に変更し、その開口数でＦＥ信号においてＳ字カーブを検出し、光ディスク媒体９０の記録面の層数を正確に数えることができる。開口数をアップサーチの際に変更する必要がないため効率的に処理を行うことができる。
【０１０２】
なお、本発明は上記実施形態に限定されず、種々の変形及び応用が可能である。
【０１０３】
第１と第２の実施形態において、ディスク層計数処理はアップサーチによって行われたが、ダウンサーチによって行われてもよい。
【０１０４】
また、第１の実施形態において、液晶シャッタ１１ｇは、開口数を「０．４５」、「０．６０」、「０．７０」、「０．８５」に変化させたが、それらの開口数に限定されるものではなく、他の開口数に変化させるようにしてもよいし、さらに細かく開口数を変化させるようにしてもよい。
【０１０５】
また、第１と第２の実施形態において、液晶シャッタを用いて開口数を変化させたが、開閉シャッタを用いて開口数を変化させてもよい。
【０１０６】
以上説明したように、本発明によれば、多層ディスクの層数を検出するために好適なディスク再生装置を提供することができる。
【図面の簡単な説明】
【０１０７】
【図１】本発明の実施形態に係るディスク再生装置の構成を示す図である。
【図２】図１に示す光ピックアップの光学系の構成を示す図である。
【図３】図２に示す光学系の液晶シャッタの構成及び動作を示す図である。（ａ）開口数を０．４５にした場合の液晶シャッタの模式図である。（ｂ）開口数を０．６０にした場合の液晶シャッタの模式図である。（ｃ）開口数を０．７０にした場合の液晶シャッタの模式図である。（ｄ）開口数を０．８５にした場合の液晶シャッタの模式図である。（ｅ）液晶シャッタの平面構成を示す模式図である。
【図４】（ａ）一層のＢＤディスクの構造を示す図である。（ｂ）八層のＢＤディスクの構造の一例を示す図である。
【図５】（ａ）ＣＤディスクの構造を示す図である。（ｂ）ＤＶＤディスクの構造を示す図である。（ｃ）ＢＤ／ＤＶＤ／ＣＤハイブリッドディスクの構造を示す図である。
【図６】フォーカス位置とＦＥ信号におけるＳカーブと開口数との関係を示した図である。
【図７】第１の実施形態のディスク層計数処理を説明するためのフローチャートである。
【図８】第２の実施形態のディスク層計数処理を説明するためのフローチャートである。
【符号の説明】
【０１０８】
１０    光ピックアップ
１１    光学系
１１ａ  ＬＤ（Laser Diode）
１１ｂ  コリメータレンズ
１１ｃ  ビーム成形プリズム
１１ｄ  偏光ビームスプリッタ
１１ｅ  ＡＰＣ用受光素子
１１ｆ  １／４波長板
１１ｇ  液晶シャッタ
１１ｈ  対物レンズ
１１ｉ  偏光ビームスプリッタ
１１ｊ  受光素子
１１ｋ  受光素子
１２    フォーカス・トラッキングアクチュエータ
２０    信号生成回路
３０    信号処理回路
３１    位相補償回路
３２    復調回路
３３    ＰＬＬ回路
４０    制御部
５０    フォーカス・トラッキングドライバ回路
６０    スピンドルモータドライバ回路
７０    液晶シャッタドライバ回路
８０    スピンドルモータ
９０    光ディスク媒体
１００  ディスク再生装置
【図１】
2008226317.tif 000003
【図２】
2008226317.tif 000004
【図３】
2008226317.tif 000005
【図４】
2008226317.tif 000006
【図５】
2008226317.tif 000007
【図６】
2008226317.tif 000008
【図７】
2008226317.tif 000009
【図８】
2008226317.tif 000010